(57)【要約】      （修正有）【課題】色違いのフォグランプ用配光パターンを同一の領域に形成することができ、小型かつ、単眼の見栄えのフォグランプユニットを提供する。【解決手段】インナーレンズ２０と、光源３０と、を備えたフォグランプユニット１０において、光源３０は、発光色が第１色の第１光源３１及び発光色が第２色の第３光源３３を含む。インナーレンズ２０は、第１光源３１及び第３光源３３がそれぞれ対向する第１入光面２１及び第３入光面２３を含む。第１入光面２１の面形状は、インナーレンズ２０から出光する光が、所定領域に前記第１色の第１フォグランプ用配光パターンを形成するように構成される。第３入光面２３の面形状は、インナーレンズ２０から出光する光が、前記所定領域に前記第２色の第２フォグランプ用配光パターンを形成するように構成される。【選択図】図２
2019212469.tif 000002
【特許請求の範囲】
【請求項１】
前面とその反対側の後面とを含むインナーレンズと、前記インナーレンズの後方に設けられ、前記インナーレンズを透過して前方に照射されてフォグランプ用配光パターンを形成する光を発光する光源と、を備えたフォグランプユニットにおいて、
前記光源は、発光色が第１色の第１光源及び第２光源、並びに、発光色が第２色の第３光源及び第４光源を含み、
前記第１光源及び第２光源は、正面視で矩形の一方の対角位置にそれぞれ配置され、
前記第３光源及び第４光源は、前記矩形の他方の対角位置にそれぞれ配置され、
前記インナーレンズの後面は、前記第１光源、第２光源、前記第３光源及び第４光源がそれぞれ対向する第１入光面、第２入光面、第３入光面及び第４入光面を含み、
前記第１入光面の面形状は、当該第１入光面から前記インナーレンズに入光し、前記前面から出光して前方に照射される前記第１光源からの光が、所定領域に前記第１色の第１フォグランプ用配光パターンを構成する第１部分配光パターンを形成するように構成され、
前記第２入光面の面形状は、当該第２入光面から前記インナーレンズに入光し、前記前面から出光して前方に照射される前記第２光源からの光が、前記所定領域に前記第１色の第１フォグランプ用配光パターンを構成する第２部分配光パターンを形成するように構成され、
前記第３入光面の面形状は、当該第３入光面から前記インナーレンズに入光し、前記前面から出光して前方に照射される前記第３光源からの光が、前記所定領域に前記第２色の第２フォグランプ用配光パターンを構成する第３部分配光パターンを形成するように構成され、
前記第４入光面の面形状は、当該第４入光面から前記インナーレンズに入光し、前記前面から出光して前方に照射される前記第４光源からの光が、前記所定領域に前記第２色の第２フォグランプ用配光パターンを構成する第４部分配光パターンを形成するように構成されたフォグランプユニット。
【請求項２】
前記インナーレンズの前記前面の水平断面形状は、直線である請求項１に記載のフォグランプユニット。
【請求項３】
前記インナーレンズの前記前面は、前記第１入光面及び前記第４入光面が対向する上シリンドリカル面と、前記第２入光面及び前記第３入光面が対向する下シリンドリカル面と、を含み、
前記上シリンドリカル面及び前記下シリンドリカル面は、それぞれ、円柱軸が水平方向に延びたシリンドリカル面である請求項１又は２に記載のフォグランプユニット。
【請求項４】
前記第１入光面の面形状は、当該第１入光面から前記インナーレンズに入光し、前記上シリンドリカル面から出光して前方に照射される前記第１光源からの光が、前記所定領域に前記第１部分配光パターンを形成するように構成され、
前記第２入光面の面形状は、当該第２入光面から前記インナーレンズに入光し、前記下シリンドリカル面から出光して前方に照射される前記第２光源からの光が、前記所定領域に前記第２部分配光パターンを形成するように構成され、
前記第３入光面の面形状は、当該第３入光面から前記インナーレンズに入光し、前記下シリンドリカル面から出光して前方に照射される前記第３光源からの光が、前記所定領域に前記第３部分配光パターンを形成するように構成され、
前記第４入光面の面形状は、当該第４入光面から前記インナーレンズに入光し、前記上シリンドリカル面から出光して前方に照射される前記第４光源からの光が、前記所定領域に前記第４部分配光パターンを形成するように構成された請求項３に記載のフォグランプユニット。
【請求項５】
前記第１光源及び前記第３光源、並びに、前記第１入光面及び前記第３入光面は、前記フォグランプユニットを車両に取り付けた場合、車幅方向に関し、車両中心から遠くに配置され、
前記第２光源及び前記第４光源、並びに、前記第２入光面及び前記第４入光面は、前記フォグランプユニットを車両に取り付けた場合、車幅方向に関し、車両中心から近くに配置される請求項１から４のいずれか１項に記載のフォグランプユニット。
【請求項６】
前記第１入光面の面形状は、当該第１入光面から前記インナーレンズに入光し、前記前面から出光する前記第１光源からの光が、前記第１入光面が隣接する前記第４入光面側に照射されて、前記第１部分配光パターンを形成するように構成され、
前記第２入光面の面形状は、当該第２入光面から前記インナーレンズに入光し、前記前面から出光する前記第２光源からの光が、前記第２入光面が隣接する前記第３入光面側に照射されて、前記第２部分配光パターンを形成するように構成され、
前記第３入光面の面形状は、当該第３入光面から前記インナーレンズに入光し、前記前面から出光する前記第３光源からの光が、前記第３入光面が隣接する前記第２入光面側に照射されて、前記第３部分配光パターンを形成するように構成され、
前記第４入光面の面形状は、当該第４入光面から前記インナーレンズに入光し、前記前面から出光する前記第４光源からの光が、前記第４入光面が隣接する前記第１入光面側に照射されて、前記第４部分配光パターンを形成するように構成された請求項５に記載のフォグランプユニット。
【請求項７】
前記第１部分配光パターンは、前記第２部分配光パターンと比べ、左右方向の寸法が短く、光度が高く、かつ、鉛直線から近くに形成され、
前記第３部分配光パターンは、前記第４部分配光パターンと比べ、左右方向の寸法が短く、光度が高く、かつ、鉛直線から近くに形成される請求項６に記載のフォグランプユニット。
【請求項８】
前記第１部分配光パターン及び前記第３部分配光パターンは、それぞれ、前記所定領域中の同一の領域に同一サイズ、同一形状、同一光度分布で形成され、
前記第２部分配光パターン及び前記第４部分配光パターンは、それぞれ、前記所定領域中の同一の領域に同一サイズ、同一形状、同一光度分布で形成される請求項１から７のいずれか１項に記載のフォグランプユニット。
【請求項９】
前記インナーレンズの前記前面のうち前記第１光源からの光が出光する領域と前記第４光源からの光が出光する領域の少なくとも一部がオーバーラップし、
前記インナーレンズの前記前面のうち前記第２光源からの光が出光する領域と前記第３光源からの光が出光する領域の少なくとも一部がオーバーラップする請求項１から８のいずれか１項に記載のフォグランプユニット。
【請求項１０】
前記第１入光面は、前記第１光源に向かって凸の曲面として構成され、
前記第２入光面は、前記第２光源に向かって凸の曲面として構成され、
前記第３入光面は、前記第３光源に向かって凸の曲面として構成され、
前記第４入光面は、前記第４光源に向かって凸の曲面として構成されている請求項１から９のいずれか１項に記載のフォグランプユニット。
【請求項１１】
前面とその反対側の後面とを含むインナーレンズと、前記インナーレンズの後方に設けられ、前記インナーレンズを透過して前方に照射されてフォグランプ用配光パターンを形成する光を発光する光源と、を備えたフォグランプユニットにおいて、
前記光源は、発光色が第１色の第１光源及び発光色が第２色の第２光源を含み、
前記インナーレンズの後面は、前記第１光源及び第２光源がそれぞれ対向する第１入光面及び第２入光面を含み、
前記第１入光面の面形状は、当該第１入光面から前記インナーレンズに入光し、前記前面から出光して前方に照射される前記第１光源からの光が、所定領域に前記第１色の第１フォグランプ用配光パターンを形成するように構成され、
前記第２入光面の面形状は、当該第２入光面から前記インナーレンズに入光し、前記前面から出光して前方に照射される前記第２光源からの光が、前記所定領域に前記第２色の第２フォグランプ用配光パターンを形成するように構成されたフォグランプユニット。
【請求項１２】
前面とその反対側の後面とを含むインナーレンズと、前記インナーレンズの後方に設けられ、前記インナーレンズを透過して前方に照射されてフォグランプ用配光パターンを形成する光を発光する光源と、を備えたフォグランプユニットにおいて、
前記光源は、発光色が第１色のＮ１（Ｎ１は２以上の整数）個の第１光源及び発光色が第２色のＮ２（Ｎ２は２以上の整数）個の第２光源を含み、
前記インナーレンズの後面は、前記Ｎ１個の第１光源及び前記Ｎ２個の第２光源がそれぞれ対向するＮ１個の第１入光面及びＮ２個の第２入光面を含み、
前記Ｎ１個の第１入光面の面形状は、それぞれ、当該第１入光面から前記インナーレンズに入光し、前記前面から出光して前方に照射される前記第１光源からの光が、所定領域に前記第１色の第１フォグランプ用配光パターンを構成する部分配光パターンを形成するように構成され、
前記Ｎ２個の第２入光面の面形状は、それぞれ、当該第２入光面から前記インナーレンズに入光し、前記前面から出光して前方に照射される前記第２光源からの光が、前記所定領域に前記第２色の第２フォグランプ用配光パターンを構成する部分配光パターン形成するように構成されたフォグランプユニット。
【発明の詳細な説明】
【技術分野】
【０００１】
本発明は、フォグランプユニットに関し、特に、色違いのフォグランプ用配光パターンを同一の領域に形成することができ、小型化が可能で、かつ、単眼の見栄えのフォグランプユニットに関する。
【背景技術】
【０００２】
従来、インナーレンズと、インナーレンズの後方に設けられ、インナーレンズを透過して前方に照射されてフォグランプ用配光パターンを形成する光を発光する光源と、を備えたフォグランプユニットが知られている（例えば、特許文献１（図３、図４等）参照）。
【０００３】
これに対して、本発明者らは、色違いの２つの光源を用い、点灯する光源を切り替えることで、色違いのフォグランプ用配光パターンを形成することができるフォグランプユニットを検討した。
【先行技術文献】
【特許文献】
【０００４】
【特許文献１】特開２０１５−２１７７６０号公報
【発明の概要】
【発明が解決しようとする課題】
【０００５】
しかしながら、特許文献１に記載のフォグランプユニットにおいては、色違いの２つの光源として、例えば、発光色が白色の第１光源及び発光色が黄色の第２光源を用いた場合、インナーレンズ（焦点）に対する第１光源の位置と第２光源の位置が相違することに起因して、第１光源を点灯した場合に形成される白色の第１フォグランプ用配光パターンと第２光源を点灯した場合に形成される黄色の第２フォグランプ用配光パターンとが異なる領域に形成されてしまい、その結果、配光フィーリングが低下する等の問題がある。
【０００６】
また、白色の第１フォグランプ用配光パターン用の第１フォグランプユニット、黄色の第２フォグランプ用配光パターン用の第２フォグランプユニットのように発光色ごとにフォグランプユニットを構成することで色違いのフォグランプ用配光パターンを形成することが考えられるが、このようにすると、フォグランプユニットの設置スペースが増大する、外観が複眼の見栄えとなる等の問題がある。
【０００７】
本発明は、上記事情に鑑みてなされたものであり、色違いのフォグランプ用配光パターンを同一の領域に形成することができ、小型化が可能で、かつ、単眼の見栄えのフォグランプユニットを提供することを目的とする。
【課題を解決するための手段】
【０００８】
上記目的を達成するために、本発明の一つの側面は、前面とその反対側の後面とを含むインナーレンズと、前記インナーレンズの後方に設けられ、前記インナーレンズを透過して前方に照射されてフォグランプ用配光パターンを形成する光を発光する光源と、を備えたフォグランプユニットにおいて、前記光源は、発光色が第１色の第１光源及び第２光源、並びに、発光色が第２色の第３光源及び第４光源を含み、前記第１光源及び第２光源は、正面視で矩形の一方の対角位置にそれぞれ配置され、前記第３光源及び第４光源は、前記矩形の他方の対角位置にそれぞれ配置され、前記インナーレンズの後面は、前記第１光源、第２光源、前記第３光源及び第４光源がそれぞれ対向する第１入光面、第２入光面、第３入光面及び第４入光面を含み、前記第１入光面の面形状は、当該第１入光面から前記インナーレンズに入光し、前記前面から出光して前方に照射される前記第１光源からの光が、所定領域に前記第１色の第１フォグランプ用配光パターンを構成する第１部分配光パターンを形成するように構成され、前記第２入光面の面形状は、当該第２入光面から前記インナーレンズに入光し、前記前面から出光して前方に照射される前記第２光源からの光が、前記所定領域に前記第１色の第１フォグランプ用配光パターンを構成する第２部分配光パターンを形成するように構成され、前記第３入光面の面形状は、当該第３入光面から前記インナーレンズに入光し、前記前面から出光して前方に照射される前記第３光源からの光が、前記所定領域に前記第２色の第２フォグランプ用配光パターンを構成する第３部分配光パターンを形成するように構成され、前記第４入光面の面形状は、当該第４入光面から前記インナーレンズに入光し、前記前面から出光して前方に照射される前記第４光源からの光が、前記所定領域に前記第２色の第２フォグランプ用配光パターンを構成する第４部分配光パターンを形成するように構成されたことを特徴とする。
【０００９】
この側面によれば、色違いのフォグランプ用配光パターンを同一の領域に形成することができ、小型化が可能で、かつ、単眼の見栄えのフォグランプユニットを提供することができる。
【００１０】
色違いのフォグランプ用配光パターンを同一の領域に形成することができるのは、発光色が第１色の第１光源及び第２光源、発光色が第２色の第３光源及び第４光源、並びに、第１〜第４光源からの光それぞれを制御する第１〜第４入光面を備えることによるものである。
【００１１】
小型化が可能なのは、発光色ごとにフォグランプユニットを構成するのではなく、１つのフォグランプユニットが、１つのインナーレンズ、発光色が第１色の第１光源及び第２光源、並びに、発光色が第２色の第３光源及び第４光源を備えることによるものである。
【００１２】
単眼の見栄えとなるのは、第１〜第４光源からの光それぞれを制御する第１〜第４入光面をインナーレンズの前面ではなく後面に設けたことによるものである。
【００１３】
また、この側面によれば、第１光源及び第２光源の同時点灯時（第３光源及び第４光源は消灯）においても、第３光源及び第４光源の同時点灯時（第１光源及び第２光源は消灯）においても、インナーレンズ全体が発光するため、単眼の見栄えを実現できる。
【００１４】
第１光源及び第２光源の同時点灯時（又は第３光源及び第４光源の同時点灯時）にインナーレンズ全体が発光するのは、発光色が第１色の第１光源及び第２光源が矩形の一方の対角位置にそれぞれ配置され、かつ、発光色が第２色の第３光源及び第４光源が矩形の他方の対角位置にそれぞれ配置されていることによるものである。
【００１５】
また、上記発明において、好ましい態様は、前記インナーレンズの前記前面の水平断面形状は、直線であることを特徴とする。
【００１６】
また、上記発明において、好ましい態様は、前記インナーレンズの前記前面は、前記第１入光面及び前記第４入光面が対向する上シリンドリカル面と、前記第２入光面及び前記第３入光面が対向する下シリンドリカル面と、を含み、前記上シリンドリカル面及び前記下シリンドリカル面は、それぞれ、円柱軸が水平方向に延びたシリンドリカル面であることを特徴とする。
【００１７】
この態様によれば、第１〜第４入光面の面形状を、第１〜第４光源からの光の入射角が比較的小さくなる形状、つまり、フレネルロスが少なく第１〜第４光源からの光がインナーレンズに入光しやすい形状とすることができる。
【００１８】
これは、第１〜第４光源からの光に対する鉛直方向の集光を、第１〜第４入光面だけでなくシリンドリカル面も担当することによるものである。
【００１９】
また、上記発明において、好ましい態様は、前記第１入光面の面形状は、当該第１入光面から前記インナーレンズに入光し、前記上シリンドリカル面から出光して前方に照射される前記第１光源からの光が、前記所定領域に前記第１部分配光パターンを形成するように構成され、前記第２入光面の面形状は、当該第２入光面から前記インナーレンズに入光し、前記下シリンドリカル面から出光して前方に照射される前記第２光源からの光が、前記所定領域に前記第２部分配光パターンを形成するように構成され、前記第３入光面の面形状は、当該第３入光面から前記インナーレンズに入光し、前記下シリンドリカル面から出光して前方に照射される前記第３光源からの光が、前記所定領域に前記第３部分配光パターンを形成するように構成され、前記第４入光面の面形状は、当該第４入光面から前記インナーレンズに入光し、前記上シリンドリカル面から出光して前方に照射される前記第４光源からの光が、前記所定領域に前記第４部分配光パターンを形成するように構成されたことを特徴とする。
【００２０】
また、上記発明において、好ましい態様は、前記第１光源及び前記第３光源、並びに、前記第１入光面及び前記第３入光面は、前記フォグランプユニットを車両に取り付けた場合、車幅方向に関し、車両中心から遠くに配置され、前記第２光源及び前記第４光源、並びに、前記第２入光面及び前記第４入光面は、前記フォグランプユニットを車両に取り付けた場合、車幅方向に関し、車両中心から近くに配置されることを特徴とする。
【００２１】
また、上記発明において、好ましい態様は、前記第１入光面の面形状は、当該第１入光面から前記インナーレンズに入光し、前記前面から出光する前記第１光源からの光が、前記第１入光面が隣接する前記第４入光面側に照射されて、前記第１部分配光パターンを形成するように構成され、前記第２入光面の面形状は、当該第２入光面から前記インナーレンズに入光し、前記前面から出光する前記第２光源からの光が、前記第２入光面が隣接する前記第３入光面側に照射されて、前記第２部分配光パターンを形成するように構成され、前記第３入光面の面形状は、当該第３入光面から前記インナーレンズに入光し、前記前面から出光する前記第３光源からの光が、前記第３入光面が隣接する前記第２入光面側に照射されて、前記第３部分配光パターンを形成するように構成され、前記第４入光面の面形状は、当該第４入光面から前記インナーレンズに入光し、前記前面から出光する前記第４光源からの光が、前記第４入光面が隣接する前記第１入光面側に照射されて、前記第４部分配光パターンを形成するように構成されたことを特徴とする。
【００２２】
この態様によれば、第１光源及び第２光源の同時点灯時、インナーレンズの前面から出光する第１光源からの光及び第２光源からの光が、上面視でクロスする。同様に、第３光源及び第４光源の同時点灯時、インナーレンズの前面から出光する第３光源からの光及び第４光源からの光が、上面視でクロスする。
【００２３】
これにより、フォグランプユニットの前方にエクステンション等の構造物が配置されている場合であっても、インナーレンズの前面から出光する第１光源からの光及び第２光源からの光、並びに、第３光源からの光及び第４光源からの光が上記構造物で遮られるのを抑制することができる。
【００２４】
また、上記発明において、好ましい態様は、前記第１部分配光パターンは、前記第２部分配光パターンと比べ、左右方向の寸法が短く、光度が高く、かつ、鉛直線から近くに形成され、前記第３部分配光パターンは、前記第４部分配光パターンと比べ、左右方向の寸法が短く、光度が高く、かつ、鉛直線から近くに形成されることを特徴とする。
【００２５】
この態様によれば、中心光度が相対的に高く、左右方向にワイドな、フォグランプに適した第１色の第１フォグランプ用配光パターンを形成することができる。
【００２６】
これは、第２部分配光パターンと比べ、左右方向の寸法が短く、光度が高く、かつ、鉛直線から近くに形成される第１部分配光パターンと、第１部分配光パターンと比べ、左右方向の寸法が長く、光度が低く、かつ、鉛直線から遠くに形成される第２部分配光パターンとが重畳されることで、第１フォグランプ用配光パターンが形成されることによるものである。
【００２７】
同様に、中心光度が相対的に高く、左右方向にワイドな、フォグランプに適した第２色の第２フォグランプ用配光パターンを形成することができる。
【００２８】
これは、第４部分配光パターンと比べ、左右方向の寸法が短く、光度が高く、かつ、鉛直線から近くに形成される第３部分配光パターンと、第３部分配光パターンと比べ、左右方向の寸法が長く、光度が低く、かつ、鉛直線から遠くに形成される第４部分配光パターンとが重畳されることで、第２フォグランプ用配光パターンが形成されることによるものである。
【００２９】
また、上記発明において、好ましい態様は、前記第１部分配光パターン及び前記第３部分配光パターンは、それぞれ、前記所定領域中の同一の領域に同一サイズ、同一形状、同一光度分布で形成され、前記第２部分配光パターン及び前記第４部分配光パターンは、それぞれ、前記所定領域中の同一の領域に同一サイズ、同一形状、同一光度分布で形成されることを特徴とする。
【００３０】
この態様によれば、第１部分配光パターン及び第２部分配光パターンが重畳されることにより形成される第１フォグランプ用配光パターン、並びに、第３部分配光パターン及び第４部分配光パターンが重畳されることにより形成される第２フォグランプ用配光パターンを、それぞれ、所定領域に同一サイズ、同一形状、同一光度分布で形成することができる。
【００３１】
また、上記発明において、好ましい態様は、前記インナーレンズの前記前面のうち前記第１光源からの光が出光する領域と前記第４光源からの光が出光する領域の少なくとも一部がオーバーラップし、前記インナーレンズの前記前面のうち前記第２光源からの光が出光する領域と前記第３光源からの光が出光する領域の少なくとも一部がオーバーラップすることを特徴とする。
【００３２】
この態様によれば、インナーレンズの小型化、ひいては、フォグランプユニットの小型化が可能となる。
【００３３】
これは、インナーレンズの前面のうち第１光源からの光が出光する領域と第４光源からの光が出光する領域の少なくとも一部がオーバーラップし、かつ、インナーレンズの前面のうち第２光源からの光が出光する領域と第３光源からの光が出光する領域の少なくとも一部がオーバーラップしていることによるものである。
【００３４】
したがって、インナーレンズの前面のうち第１光源からの光が出光する領域と第４光源からの光が出光する領域がオーバーラップせず、かつ、インナーレンズの前面のうち第２光源からの光が出光する領域と第３光源からの光が出光する領域がオーバーラップしていない場合と比べ、インナーレンズの小型化、ひいては、フォグランプユニットの小型化が可能となる。
【００３５】
また、上記発明において、好ましい態様は、前記第１入光面は、前記第１光源に向かって凸の曲面として構成され、前記第２入光面は、前記第２光源に向かって凸の曲面として構成され、前記第３入光面は、前記第３光源に向かって凸の曲面として構成され、前記第４入光面は、前記第４光源に向かって凸の曲面として構成されていることを特徴とする。
【００３６】
本発明の別の側面は、前面とその反対側の後面とを含むインナーレンズと、前記インナーレンズの後方に設けられ、前記インナーレンズを透過して前方に照射されてフォグランプ用配光パターンを形成する光を発光する光源と、を備えたフォグランプユニットにおいて、前記光源は、発光色が第１色の第１光源及び発光色が第２色の第２光源を含み、前記インナーレンズの後面は、前記第１光源及び第２光源がそれぞれ対向する第１入光面及び第２入光面を含み、前記第１入光面の面形状は、当該第１入光面から前記インナーレンズに入光し、前記前面から出光して前方に照射される前記第１光源からの光が、所定領域に前記第１色の第１フォグランプ用配光パターンを形成するように構成され、前記第２入光面の面形状は、当該第２入光面から前記インナーレンズに入光し、前記前面から出光して前方に照射される前記第２光源からの光が、前記所定領域に前記第２色の第２フォグランプ用配光パターンを形成するように構成されたことを特徴とする。
【００３７】
この側面によれば、色違いのフォグランプ用配光パターンを同一の領域に形成することができ、小型化が可能で、かつ、単眼の見栄えのフォグランプユニットを提供することができる。
【００３８】
色違いのフォグランプ用配光パターンを同一の領域に形成することができるのは、発光色が第１色の第１光源、発光色が第２色の第２光源、及び、第１〜第２光源からの光それぞれを制御する第１〜第２入光面を備えることによるものである。
【００３９】
小型化が可能なのは、発光色ごとにフォグランプユニットを構成するのではなく、１つのフォグランプユニットが、１つのインナーレンズ、発光色が第１色の第１光源及び発光色が第２色の第２光源を備えることによるものである。
【００４０】
単眼の見栄えとなるのは、第１〜第２光源からの光を制御する第１〜第２入光面をインナーレンズの前面ではなく後面に設けたことによるものである。
【００４１】
本発明の別の側面は、前面とその反対側の後面とを含むインナーレンズと、前記インナーレンズの後方に設けられ、前記インナーレンズを透過して前方に照射されてフォグランプ用配光パターンを形成する光を発光する光源と、を備えたフォグランプユニットにおいて、前記光源は、発光色が第１色のＮ１（Ｎ１は２以上の整数）個の第１光源及び発光色が第２色のＮ２（Ｎ２は２以上の整数）個の第２光源を含み、前記インナーレンズの後面は、前記Ｎ１個の第１光源及び前記Ｎ２個の第２光源がそれぞれ対向するＮ１個の第１入光面及びＮ２個の第２入光面を含み、前記Ｎ１個の第１入光面の面形状は、それぞれ、当該第１入光面から前記インナーレンズに入光し、前記前面から出光して前方に照射される前記第１光源からの光が、所定領域に前記第１色の第１フォグランプ用配光パターンを構成する部分配光パターンを形成するように構成され、前記Ｎ２個の第２入光面の面形状は、それぞれ、当該第２入光面から前記インナーレンズに入光し、前記前面から出光して前方に照射される前記第２光源からの光が、前記所定領域に前記第２色の第２フォグランプ用配光パターンを構成する部分配光パターン形成するように構成されたことを特徴とする。
【００４２】
この側面によれば、色違いのフォグランプ用配光パターンを同一の領域に形成することができ、小型化が可能で、かつ、単眼の見栄えのフォグランプユニットを提供することができる。
【００４３】
色違いのフォグランプ用配光パターンを同一の領域に形成することができるのは、発光色が第１色のＮ１個の第１光源、及び、発光色が第２色のＮ２個の第２光源、Ｎ１個の第１光源及びＮ２個の第２光源からの光それぞれを制御するＮ１個の第１入光面及びＮ２個の第２入光面を備えることによるものである。
【００４４】
小型化が可能なのは、発光色ごとにフォグランプユニットを構成するのではなく、１つのフォグランプユニットが、１つのインナーレンズ、発光色が第１色のＮ１個の第１光源、及び、発光色が第２色のＮ２個の第２光源を備えることによるものである。
【００４５】
単眼の見栄えとなるのは、Ｎ１個の第１光源及びＮ２個の第２光源からの光それぞれを制御するＮ１個の第１入光面及びＮ２個の第２入光面をインナーレンズの前面ではなく後面に設けたことによるものである。
【図面の簡単な説明】
【００４６】
【図１】フォグランプユニット１０の正面図である。
【図２】図１に示すフォグランプユニット１０のＡ−Ａ断面図である。
【図３】図１に示すフォグランプユニット１０のＢ−Ｂ断面図である。
【図４】白色の第１フォグランプ用配光パターンＰ１等の一例である。
【図５】黄色の第２フォグランプ用配光パターンＰ２等の一例である。
【図６】（ａ）第１フォグランプ用配光パターンＰ１の光度分布を表すグラフ、（ｂ）第１部分配光パターンＰ１ａの光度分布を表すグラフ、（ｃ）第２部分配光パターンＰ１ｂの光度分布を表すグラフである。
【図７】（ａ）インナーレンズ２０の正面図、（ｂ）インナーレンズ２０の背面図である。
【図８】鉛直断面において第１光源３１からの光Ｒａｙ１等が辿る光路の一例である。
【図９】水平断面において第１光源３１からの光Ｒａｙ１が辿る光路の一例である。
【図１０】水平断面において第４光源３４からの光Ｒａｙ４が辿る光路の一例である。
【図１１】インナーレンズ２０の前面２０ａのうち第１光源３１からの光Ｒａｙ１が出光する領域と第４光源３４からの光Ｒａｙ４が出光する領域がオーバーラップしている様子を表す図である。
【図１２】各光源の配置の変形例である。
【発明を実施するための形態】
【００４７】
以下、本発明の一実施形態であるフォグランプユニット１０について添付図面を参照しながら説明する。各図において対応する構成要素には同一の符号が付され、重複する説明は省略される。
【００４８】
図１は、フォグランプユニット１０の正面図である。図２は図１に示すフォグランプユニット１０のＡ−Ａ断面図、図３はＢ−Ｂ断面図である。
【００４９】
図１〜図３に示すフォグランプユニット１０は、色違いのフォグランプ用配光パターンを同一の領域に形成することができるダイレクトプロジェクション型（直射型ともいう）のフォグランプユニットである。例えば、ユーザが車室に設けられた切り替えスイッチ（図示せず）を操作し、点灯する光源を切り替えることで、白色の第１フォグランプ用配光パターン又は黄色の第２フォグランプ用配光パターンに切り替えることができる。
【００５０】
フォグランプユニット１０は、自動車等の車両の前端部（例えば、バンパー）の左右両側にそれぞれ搭載される。左右両側に搭載されるフォグランプユニット１０は左右対称の構成であるため、以下、代表して、車両の前端部の右側（車両前方に向かって右側）に搭載されるフォグランプユニット１０について説明する。
【００５１】
まず、フォグランプユニット１０によって形成される白色の第１フォグランプ用配光パターンＰ１、黄色の第２フォグランプ用配光パターンＰ２について説明する。
【００５２】
図４は、白色の第１フォグランプ用配光パターンＰ１等の一例である。図４には、車両前面に正対した仮想鉛直スクリーン（車両前面から約２５ｍ前方に配置されている）上に形成される第１フォグランプ用配光パターンＰ１等が示されている。
【００５３】
図４（ｂ）に示す白色の第１部分配光パターンＰ１ａと図４（ｃ）に示す白色の第２部分配光パターンＰ１ｂとが重畳されることで、図４（ａ）に示す第１フォグランプ用配光パターンＰ１が形成される。
【００５４】
第１部分配光パターンＰ１ａは、第２部分配光パターンＰ１ｂと比べ、左右方向の寸法が短く、光度が高く、かつ、鉛直線Ｖから近くに形成される。逆に、第２部分配光パターンＰ１ｂは、第１部分配光パターンＰ１ａと比べ、左右方向の寸法が長く、光度が低く、かつ、鉛直線Ｖから遠くに形成される。
【００５５】
図５は、黄色の第２フォグランプ用配光パターンＰ２等の一例である。図５には、車両前面に正対した仮想鉛直スクリーン上に形成される第２フォグランプ用配光パターンＰ２等が示されている。
【００５６】
図５（ｂ）に示す黄色の第３部分配光パターンＰ２ａと図５（ｃ）に示す黄色の第４部分配光パターンＰ２ｂとが重畳されることで、図５（ａ）に示す第２フォグランプ用配光パターンＰ２が形成される。
【００５７】
第３部分配光パターンＰ２ａは、第４部分配光パターンＰ２ｂと比べ、左右方向の寸法が短く、光度が高く、かつ、鉛直線Ｖから近くに形成される。逆に、第４部分配光パターンＰ２ｂは、第３部分配光パターンＰ２ａと比べ、左右方向の寸法が長く、光度が低く、かつ、鉛直線Ｖから遠くに形成される。
【００５８】
第１部分配光パターンＰ１ａ、第３部分配光パターンＰ２ａは、それぞれ、所定領域（第１フォグランプ用配光パターンＰ１が形成される領域。図４（ａ）参照）中の同一の領域に同一サイズ、同一形状、同一光度分布（図６（ｂ）参照）で形成される。
【００５９】
同様に、第２部分配光パターンＰ１ｂ、第４部分配光パターンＰ２ｂは、それぞれ、所定領域（第２フォグランプ用配光パターンＰ２が形成される領域。図５（ａ）参照）中の同一の領域に同一サイズ、同一形状、同一光度分布（図６（ｃ）参照）で形成される。
【００６０】
その結果、第１部分配光パターンＰ１ａと第２部分配光パターンＰ１ｂとが重畳されることで形成される第１フォグランプ用配光パターンＰ１は、図４（ａ）に示すように、同一の領域（本発明の所定領域に相当）に同一サイズ、同一形状、同一光度分布で形成される。同様に、第３部分配光パターンＰ２ａと第４部分配光パターンＰ２ｂとが重畳されることで形成される第２フォグランプ用配光パターンＰ２は、図５（ａ）に示すように、同一の領域（本発明の所定領域に相当）に同一サイズ、同一形状、同一光度分布で形成される。
【００６１】
なお、ここで言う「同一」とは、厳密な意味での同一に限らない。すなわち、各配光パターンが形成される領域、各配光パターンのサイズ、形状、光度分布が異なっていても、視覚的に同一領域、同一サイズ、同一形状、同一光度分布と評価できる限り、「同一」である。
【００６２】
図６（ａ）は第１フォグランプ用配光パターンＰ１の光度分布を表すグラフである。第２フォグランプ用配光パターンＰ２の光度分布も図６（ａ）と同様の光度分布となる。
【００６３】
図６（ｂ）は第１部分配光パターンＰ１ａの光度分布を表すグラフである。第３部分配光パターンＰ２ａの光度分布も図６（ｂ）と同様の光度分布となる。
【００６４】
図６（ｃ）は第２部分配光パターンＰ１ｂの光度分布を表すグラフである。第４部分配光パターンＰ２ｂの光度分布も図６（ｃ）と同様の光度分布となる。
【００６５】
次に、上記各配光パターンを形成するフォグランプユニット１０の構成例について説明する。
【００６６】
図１〜図３に示すように、本実施形態のフォグランプユニット１０は、前面２０ａとその反対側の後面２０ｂとを含むインナーレンズ２０と、インナーレンズ２０の後方に設けられ、インナーレンズ２０を透過して前方に照射されてフォグランプ用配光パターンを形成する光を発光する光源３０と、シェード４０と、アウターレンズ５０と、ハウジング６０と、を備える。
【００６７】
インナーレンズ２０、光源３０及びシェード４０は、アウターレンズ５０とハウジング６０とによって構成される灯室７０内に配置され、ハウジング６０等に取り付けられる。図２、図３等で符号８０が示す部材は、エクステンションである。エクステンション８０は、フォグランプユニット１０の周縁部（アウターレンズ５０とハウジング６０との接合部）等が視認されないように、フォグランプユニット１０の周縁部等を覆った状態で車両の前端部（例えば、バンパー）に取り付けられる。
【００６８】
光源３０は、発光色が白色（本発明の第１色に相当）の第１光源３１及び第２光源３２、並びに、発光色が黄色（本発明の第２色に相当）の第３光源３３及び第４光源３４を含む。
【００６９】
図１に示すように、第１光源３１及び第２光源３２は、正面視で矩形Ｂの一方の対角位置にそれぞれ配置される。第３光源３３及び第４光源３４は、正面視で矩形Ｂの他方の対角位置にそれぞれ配置される。なお、各光源３１〜３４は、厳密な対角位置でなく、対角位置近傍に配置してもよい。
【００７０】
このように第１〜第４光源３１〜３４を配置することで、第１光源３１及び第２光源３２の同時点灯時（第３光源３３及び第４光源３４は消灯）においても、第３光源３３及び第４光源３４の同時点灯時（第１光源３１及び第２光源３２は消灯）においても、インナーレンズ２０全体が発光する（発光しているように視認させることができる）。
【００７１】
矩形Ｂは、例えば、正面視で水平方向に延びる上下２本の直線及び鉛直方向に延びる左右２本の直線で構成される正方形である。矩形Ｂは、正面視でインナーレンズ２０の外形（概ね円形）内に配置されている。矩形Ｂの中心とインナーレンズ２０の外形の中心は一致している。
【００７２】
このように第１〜第４光源３１〜３４が配置されている結果、第１光源３１及び第３光源３３は、フォグランプユニット１０を車両の前端部の右側に取り付けた場合、車幅方向に関し、車両中心から遠くに配置される。後述する第１入光面２１及び第３入光面２３についても同様である。一方、第２光源３２及び第４光源３４は、フォグランプユニット１０を車両の前端部の右側に取り付けた場合、車幅方向に関し、車両中心から近くに配置される。後述する第２入光面２２及び第４入光面２４についても同様である。
【００７３】
第１光源３１及び第２光源３２は同様の構成であるため、以下、代表して、第１光源３１について説明する。
【００７４】
第１光源３１は、白色光を発光する矩形の発光面を備えたＬＥＤ等の半導体発光素子で、図２に示すように、発光面を前方（正面）に向けた状態で基板Ｋに実装される。基板Ｋは、ネジ止め等によりハウジング６０等に取り付けられる。
【００７５】
第１光源３１は、例えば、水平方向に隣接して配置された２個の青色発光ＬＥＤ素子（１ｍｍ角）とこれを覆う黄色発光蛍光体（１×２ｍｍ）が収容されたＬＥＤパッケージである。図示しないが、蛍光体の外形と水平方向に隣接して配置された２個のＬＥＤ素子の外形は概ね重なっているため、蛍光体の輝度は、第１光源３１の発光面全領域に渡って概ね均一となる。
【００７６】
そのため、第１光源３１（発光面）の下端縁（水平方向に延びている）の上下の明暗比は比較的大きくなる。
【００７７】
その結果、第１光源３１の光源像を反転投影することで第１フォグランプ用配光パターンＰ１を構成する第１部分配光パターンＰ１ａを形成する場合、当該第１部分配光パターンＰ１ａの上端縁（カットオフラインＣＬ１ａ）の上下の明暗比も比較的大きくなる。つまり、第１部分配光パターンＰ１ａのカットオフラインＣＬ１ａが明瞭なものとなる。
【００７８】
同様に、第２光源３２の光源像を反転投影することで第１フォグランプ用配光パターンＰ１を構成する第２部分配光パターンＰ１ｂを形成する場合、当該第２部分配光パターンＰ１ｂの上端縁（カットオフラインＣＬ１ｂ）の上下の明暗比も比較的大きくなる。つまり、第２部分配光パターンＰ１ｂのカットオフラインＣＬ１ｂが明瞭なものとなる。
【００７９】
第３光源３３及び第４光源３４は同様の構成であるため、以下、代表して、第３光源３４について説明する。
【００８０】
第３光源３３は、黄色光を発光する矩形の発光面を備えたＬＥＤ等の半導体発光素子で、図２に示すように、発光面を前方（正面）に向けた状態で基板Ｋに実装される。
【００８１】
第３光源３３は、例えば、水平方向に隣接して配置された２個の青色発光ＬＥＤ素子（１ｍｍ角）とこれを覆う黄色発光蛍光体（１×２ｍｍ）が収容されたＬＥＤパッケージである。図示しないが、蛍光体の外形は水平方向に隣接して配置された２個のＬＥＤ素子の外形より大きく、２個のＬＥＤ素子の外形からはみ出しているため、蛍光体の輝度は、蛍光体の周縁に近づくほど低下する。
【００８２】
そのため、第３光源３３（発光面）の下端縁（水平方向に延びている）の上下の明暗比は第１光源３１の下端縁の上下の明暗比と比較して小さくなる。
【００８３】
その結果、第３光源３３の光源像を反転投影することで第２フォグランプ用配光パターンＰ２を構成する第３部分配光パターンＰ２ａを形成する場合、当該第３部分配光パターンＰ２ａの上端縁（カットオフラインＣＬ２ａ）の上下の明暗比も比較的小さくなる。つまり、第３部分配光パターンＰ２ａのカットオフラインＣＬ２ａが不明瞭なものとなる。
【００８４】
同様に、第４光源３４の光源像を反転投影することで第２フォグランプ用配光パターンＰ２を構成する第４部分配光パターンＰ２ｂを形成する場合、当該第４部分配光パターンＰ２ｂの上端縁（カットオフラインＣＬ２ｂ）の上下の明暗比も比較的小さくなる。つまり、第４部分配光パターンＰ２ｂのカットオフラインＣＬ２ｂが不明瞭なものとなる。
【００８５】
そこで、第３部分配光パターンＰ２ａのカットオフラインＣＬ２ａを明瞭にするため、図２に示すように、第３光源３３の前方にシェード４０が設けられる。同様に、第４部分配光パターンＰ２ｂのカットオフラインＣＬ２ｂを明瞭にするため、図示しないが、第４光源３４の前方にもシェード４０が設けられる。
【００８６】
シェード４０は、第３光源３３の下端縁に沿った領域を覆うシェード部分４０ａ（図２参照）、及び、第４光源３４の下端縁に沿った領域を覆うシェード部分４０ｂ（図示略）を含む。
【００８７】
シェード４０（シェード部分４０ａ、４０ｂ）が第３光源３３及び第４光源３４それぞれの下端縁に沿った領域を覆うことで、第３光源３３及び第４光源３４それぞれの下端縁の上下の明暗比が比較的大きくなる。その結果、第３部分配光パターンＰ２ａ及び第４部分配光パターンＰ２ｂそれぞれのカットオフラインＣＬ２ａ、ＣＬ２ｂを明瞭にすることができる。
【００８８】
次に、シェード４０の具体例について説明する。
【００８９】
シェード４０は、例えば、インナーレンズ２０の外形と概ね同じ外形の円形状のプレートで、第１〜第４光源３１〜３４からの光を通過させるため、図１に示すように、各光源３１〜３４が対向する箇所にそれぞれ矩形の貫通穴Ｈ１〜Ｈ４が形成されている。矩形の貫通穴Ｈ１〜Ｈ４は、それぞれ、正面視で水平方向に延びる上下２本の直線及び鉛直方向に延びる左右２本の直線で構成される。
【００９０】
第１光源３１はその全体が貫通穴Ｈ１から露出しているため（図１参照）、図８に示すように、第１光源３１からの光Ｒａｙ１は、シェード４０で遮られることなく（ほとんど遮られることなく）、貫通穴Ｈ１を通過する。
【００９１】
同様に、第２光源３２はその全体が貫通穴Ｈ２から露出しているため（図１参照）、図示しないが、第２光源３２からの光Ｒａｙ２は、シェード４０で遮られることなく（ほとんど遮られることなく）、貫通穴Ｈ２を通過する。
【００９２】
第３光源３３は下端縁に沿った領域（シェード部分４０ａで覆われた領域）以外の領域が貫通穴Ｈ３から露出しているため（図２参照）、図８に示すように、第３光源３３からの光Ｒａｙ３は、シェード４０（シェード部分４０ａ）によって一部遮光されて貫通穴Ｈ３を通過する。図４中、符号Ｒａｙ３ａは、第３光源３３からの光Ｒａｙ３のうちシェード４０（シェード部分４０ａ）によって一部遮光される光を表す。
【００９３】
同様に、第４光源３４は下端縁に沿った領域（シェード部分４０ｂで覆われた領域）以外の領域が貫通穴Ｈ４から露出しているため、図示しないが、第４光源３４からの光Ｒａｙ４は、シェード４０（シェード部分４０ｂ）によって一部遮光されて貫通穴Ｈ４を通過する。
【００９４】
なお、第３光源３３及び第４光源３４として、第１光源３１及び第２光源３２と同様の、下端縁の上下の明暗比が比較的大きい光源を用いる場合、シェード４０は省略してもよい。
【００９５】
図２、図３に示すように、インナーレンズ２０は、ハウジング６０に固定された保持部材９０に保持されて第１〜第４光源３１〜３４の前方に配置される。インナーレンズ２０は、アクリルやポリカーボネイト等の透明樹脂製で、射出成形により成形される。
【００９６】
図７（ａ）はインナーレンズ２０の正面図、図７（ｂ）はインナーレンズ２０の背面図である。
【００９７】
図７（ａ）に示すように、インナーレンズ２０の外形は、概ね円形に構成されている。なお、インナーレンズ２０の外形は、円形以外の例えば矩形、その他の形状であってもよい。インナーレンズ２０の左右両側には、保持部材９０の一部が挿入される切り欠き部Ｓ１、Ｓ２が形成されている。
【００９８】
インナーレンズ２０の前面２０ａは、上下に配置された２つのシリンドリカル面を含む。つまり、インナーレンズ２０の前面２０ａは、上シリンドリカル面２０ａ１と下シリンドリカル面２０ａ２とを含む。上シリンドリカル面２０ａ１と下シリンドリカル面２０ａ２は、それぞれを出射面として同一配光を得るために対称の形状であるのが望ましいため、上シリンドリカル面２０ａ１の曲率と下シリンドリカル面２０ａ２の曲率は等しい。
【００９９】
上シリンドリカル面２０ａ１と下シリンドリカル面２０ａ２は、それぞれ、円柱軸が水平方向（図７（ａ）中左右方向）に延びた略円柱側面形状からなるシリンドリカル面として構成される。
【０１００】
図１１は、インナーレンズ２０の前面２０ａのうち第１光源３１からの光Ｒａｙ１が出光する領域と第４光源３４からの光Ｒａｙ４が出光する領域がオーバーラップしている様子を表す図である。
【０１０１】
図１１に示すように、インナーレンズ２０の前面２０ａのうち第１光源３１からの光Ｒａｙ１が出光する領域と第４光源３４からの光Ｒａｙ４が出光する領域は、少なくとも一部がオーバーラップしている。同様に、図示しないが、インナーレンズ２０の前面２０ａのうち第３光源３３からの光Ｒａｙ３が出光する領域と第２光源３２からの光Ｒａｙ２が出光する領域は、少なくとも一部がオーバーラップしている。
【０１０２】
これにより、インナーレンズ２０の前面２０ａのうち第１光源３１からの光Ｒａｙ１が出光する領域と第４光源３４からの光Ｒａｙ４が出光する領域がオーバーラップせず、かつ、インナーレンズ２０の前面２０ａのうち第３光源３３からの光Ｒａｙ３が出光する領域と第２光源３２からの光Ｒａｙ２が出光する領域がオーバーラップしていない場合と比べ、インナーレンズ２０の小型化、ひいては、フォグランプユニット１０の小型化が可能となる。
【０１０３】
図７（ｂ）に示すように、インナーレンズ２０の後面２０ｂは、第１〜第４光源３１〜３４がそれぞれ対向する第１〜第４入光面２１〜２４を含む。各入光面は、いずれも対向する光源に向かってそれぞれ凸の曲面として構成されており、隣接する入光面との間には分割線が形成されている。つまり、第１〜第４入光面２１〜２４は、インナーレンズ２０の後面２０ｂにおいて個々に設けられており、共通領域として形成されるものではない。
【０１０４】
次に、第１入光面２１について説明する。
【０１０５】
第１入光面２１は、第１光源３１からの光Ｒａｙ１がインナーレンズ２０に入光する面である。第１入光面２１からインナーレンズ２０に入光した第１光源３１からの光Ｒａｙ１は、上シリンドリカル面２０ａ１から出光する。
【０１０６】
図８は、鉛直断面において第１光源３１からの光Ｒａｙ１等が辿る光路の一例である。図９は、水平断面において第１光源３１からの光Ｒａｙ１が辿る光路の一例である。
【０１０７】
第１入光面２１と上シリンドリカル面２０ａ１との間のレンズ部分２０１（図１、図２、図３参照）は投影レンズとして機能する。このレンズ部分２０１の焦点Ｆ１（光学設計上の基準点）は、第１光源３１の下端縁近傍に位置している（図２参照）。以下、この焦点Ｆ１を通って車両前後方向に延びる基準軸のことを基準軸ＡＸ１という（図２参照）。
【０１０８】
図２、図３に示すように、第１入光面２１は、第１光源３１に向かって凸の曲面として構成されている。
【０１０９】
第１入光面２１の面形状は、当該第１入光面２１からインナーレンズ２０に入光し、上シリンドリカル面２０ａ１から出光する第１光源３１からの光Ｒａｙ１（図９参照）が、主に第１入光面２１から左右方向に隣接する第４入光面２４側に照射されて（拡散されて）、所定領域に図４（ｂ）に示す第１部分配光パターンＰ１ａを形成するように構成される。
【０１１０】
具体的には、第１入光面２１の水平断面形状は、図９に示すように、上シリンドリカル面２０ａ１から出光して前方に照射される第１光源３１からの光Ｒａｙ１が水平方向、例えば、基準軸ＡＸ１に対して左角度θ１Ｌ範囲に拡散し、かつ、右角度θ１Ｒ範囲に拡散するように構成される。左角度θ１Ｌは、右角度θ１Ｒより大きい。
【０１１１】
また、第１入光面２１の鉛直断面形状は、図８に示すように、上シリンドリカル面２０ａ１から出光して前方に照射される第１光源３１からの光Ｒａｙ１が鉛直方向に集光されて水平面に対して所定角度下向きの方向に照射されるように構成される。
【０１１２】
以上のように第１入光面２１によって第１光源３１からの光Ｒａｙ１が制御される結果、図４（ｂ）に示すように、第２部分配光パターンＰ１ｂ（図４（ｃ）参照）と比べ、左右方向の寸法が短く、光度が高く（図６（ｂ）参照）、かつ、鉛直線Ｖから近くに形成される第１部分配光パターンＰ１ａが形成される。
【０１１３】
次に、第２入光面２２について説明する。
【０１１４】
第２入光面２２は、第２光源３２からの光Ｒａｙ２がインナーレンズ２０に入光する面である。第２入光面２２からインナーレンズ２０に入光した第２光源３２からの光Ｒａｙ２は、下シリンドリカル面２０ａ２から出光する。第２光源３２からの光Ｒａｙ２が辿る光路は、上面視で図１０に示す第４光源３４からの光Ｒａｙ４が辿る光路と概ね一致し、側面視で図８に示す第３光源３３からの光Ｒａｙ３が辿る光路と概ね一致する。
【０１１５】
第２入光面２２と下シリンドリカル面２０ａ２との間のレンズ部分２０２（図１参照）は投影レンズとして機能する。このレンズ部分２０２の焦点Ｆ２（光学設計上の基準点）は、図示しないが、第２光源３２の下端縁近傍に位置している。以下、この焦点Ｆ２を通って車両前後方向に延びる基準軸のことを基準軸ＡＸ２という。基準軸ＡＸ２は、上面視で図１０に示す基準軸ＡＸ４と概ね一致し、側面視で図８に示す基準軸ＡＸ３と概ね一致する。
【０１１６】
第２入光面２２は、第２光源３２に向かって凸の曲面として構成されている。
【０１１７】
第２入光面２２の面形状は、当該第２入光面２２からインナーレンズ２０に入光し、下シリンドリカル面２０ａ２から出光する第２光源３２からの光Ｒａｙ２（図１０参照）が、主に第２入光面２２から左右方向に隣接する第３入光面２３側に照射されて（拡散されて）、所定領域に図４（ｃ）に示す第２部分配光パターンＰ１ｂを形成するように構成される。
【０１１８】
具体的には、第２入光面２２の水平断面形状は、図３に示す第４入光面２４と同様の水平断面形状で、下シリンドリカル面２０ａ２から出光して前方に照射される第２光源３２からの光Ｒａｙ２（図１０参照）が、例えば、基準軸ＡＸ２に対して左角度θ２Ｌ範囲に拡散し、かつ、右角度θ２Ｒ範囲に拡散するように構成される。左角度θ２Ｌは、右角度θ２Ｒより小さい。
【０１１９】
また、第２入光面２２の鉛直断面形状は、図２に示す第３入光面２３と同様の鉛直断面形状で、下シリンドリカル面２０ａ２から出光して前方に照射される第２光源３２からの光Ｒａｙ２（図８参照）が鉛直方向に集光されて水平面に対して所定角度下向きの方向に照射されるように構成される。
【０１２０】
以上のように第２入光面２２によって第２光源３２からの光Ｒａｙ２が制御される結果、図４（ｃ）に示すように、第１部分配光パターンＰ１ａ（図４（ｂ）参照）と比べ、左右方向の寸法が短く、光度が低く（図６（ｃ）参照）、かつ、鉛直線Ｖから遠くにまで形成される第２部分配光パターンＰ１ｂが形成される。
【０１２１】
次に、第３入光面２３について説明する。
【０１２２】
第３入光面２３は、第３光源３３からの光Ｒａｙ３がインナーレンズ２０に入光する面である。第３入光面２３からインナーレンズ２０に入光した第３光源３３からの光Ｒａｙ３は、下シリンドリカル面２０ａ２から出光する。第３光源３３からの光Ｒａｙ３が辿る光路は、上面視で図９に示す第１光源３１からの光Ｒａｙ１が辿る光路と概ね一致する。
【０１２３】
第３入光面２３と下シリンドリカル面２０ａ２との間のレンズ部分２０３（図１、図２参照）は投影レンズとして機能する。このレンズ部分２０３の焦点Ｆ３（光学設計上の基準点）は、第３光源３３の下端縁近傍に位置している（図２参照）。以下、この焦点Ｆ３を通って車両前後方向に延びる基準軸のことを基準軸ＡＸ３という（図２参照）。基準軸ＡＸ３は、上面視で図９に示す基準軸ＡＸ１と概ね一致する。
【０１２４】
図２に示すように、第３入光面２３は、第３光源３３に向かって凸の曲面として構成されている。
【０１２５】
第３入光面２３の面形状は、当該第３入光面２３からインナーレンズ２０に入光し、下シリンドリカル面２０ａ２から出光する第３光源３３からの光Ｒａｙ３（図９参照）が、主に第３入光面２３から左右方向に隣接する第２入光面２２側に照射されて（拡散されて）、所定領域に図５（ｂ）に示す第３部分配光パターンＰ２ａを形成するように構成される。
【０１２６】
具体的には、第３入光面２３の水平断面形状は、図９に示す第１入光面２１と同様の水平断面形状で、下シリンドリカル面２０ａ２から出光して前方に照射される第３光源３３からの光Ｒａｙ３（図９参照）が水平方向、例えば、基準軸ＡＸ３に対して左角度θ１Ｌ範囲に拡散し、かつ、右角度θ１Ｒ範囲に拡散するように構成される。左角度θ１Ｌは、右角度θ１Ｒより大きい。
【０１２７】
また、第３入光面２３の鉛直断面形状は、図８に示すように、下シリンドリカル面２０ａ２から出光して前方に照射される第３光源３３からの光Ｒａｙ３が鉛直方向に集光されて水平面に対して所定角度下向きの方向に照射されるように構成される。
【０１２８】
以上のように第３入光面２３によって第３光源３３からの光Ｒａｙ３が制御される結果、図５（ｂ）に示すように、第４部分配光パターンＰ２ｂ（図５（ｃ）参照）と比べ、左右方向の寸法が短く、光度が高く（図６（ｂ）参照）、かつ、鉛直線Ｖから近くに形成される第３部分配光パターンＰ２ａが形成される。
【０１２９】
次に、第４入光面２４について説明する。
【０１３０】
第４入光面２４は、第４光源３４からの光Ｒａｙ４がインナーレンズ２０に入光する面である。第４入光面２４からインナーレンズ２０に入光した第４光源３４からの光Ｒａｙ４は、上シリンドリカル面２０ａ１から出光する。
【０１３１】
図１０は、水平断面において第４光源３４からの光Ｒａｙ４が辿る光路の一例である。第４光源３４からの光Ｒａｙ４が辿る光路は、側面視で図８に示す第１光源３１からの光Ｒａｙ１が辿る光路と概ね一致する。
【０１３２】
第４入光面２４と上シリンドリカル面２０ａ１との間のレンズ部分２０４（図１、図３参照）は投影レンズとして機能する。このレンズ部分２０４の焦点Ｆ４（光学設計上の基準点）は、図示しないが、第４光源３４の下端縁近傍に位置している。以下、この焦点Ｆ４を通って車両前後方向に延びる基準軸のことを基準軸ＡＸ４という。基準軸ＡＸ４は、側面視で図８に示す基準軸ＡＸ１と概ね一致する。
【０１３３】
図３に示すように、第４入光面２４は、第４光源３４に向かって凸の曲面として構成されている。
【０１３４】
第４入光面２４の面形状は、当該第４入光面２４からインナーレンズ２０に入光し、上シリンドリカル面２０ａ１から出光する第４光源３４からの光Ｒａｙ４（図１０参照）が、主に第４入光面２４から左右方向に隣接する第１入光面２１側に照射されて（拡散されて）、所定領域に図５（ｃ）に示す第４部分配光パターンＰ２ｂを形成するように構成される。
【０１３５】
具体的には、第４入光面２４の水平断面形状は、図１０に示すように、上シリンドリカル面２０ａ１から出光して前方に照射される第４光源３４からの光Ｒａｙ４が水平方向、例えば、基準軸ＡＸ４に対して左角度θ２Ｌ範囲に拡散し、かつ、右角度θ２Ｒ範囲に拡散するように構成される。左角度θ２Ｌは、右角度θ２Ｒより小さい。
【０１３６】
また、第４入光面２４の鉛直断面形状は、図８に示す第１入光面２１と同様の鉛直断面形状で、上シリンドリカル面２０ａ１から出光して前方に照射される第４光源３４からの光Ｒａｙ４（図８参照）が鉛直方向に集光されて水平面に対して所定角度下向きの方向に照射されるように構成される。
【０１３７】
以上のように第４入光面２４によって第４光源３４からの光Ｒａｙ４が制御される結果、図５（ｃ）に示すように、第３部分配光パターンＰ２ａ（図５（ｂ）参照）と比べ、左右方向の寸法が短く、光度が低く（図６（ｃ）参照）、かつ、鉛直線Ｖから遠くにまで形成される第４部分配光パターンＰ２ｂが形成される。
【０１３８】
本実施形態のフォグランプユニットでは、第１光源３１、第２光源３２、第３光源３３、第４光源３４の光度が同等であるため、第１入光面２１、第２入光面２２、第３入光面２３、第４入光面２４の面積は同じとしている。各入光面の面積は、対向配置する光源の光度に応じて調整されることが好ましく、例えば、第１光源３１と第２光源３２の光度が第３光源３３と第４光源３４の光度より大きい場合には、第３入光面２３、第４入光面２４の面積を第１入光面２１、第２入光面２２の面積より大きくする。
【０１３９】
以上のように第１入光面２１及び第２入光面２２によって第１光源３１からの光Ｒａｙ１及び第２光源３２からの光Ｒａｙ２が制御される結果、図１１に示すのと同様に、インナーレンズ２０の前面２０ａから出光する第１光源３１からの光Ｒａｙ１及び第２光源３２からの光Ｒａｙ２は、上面視でクロスする。
【０１４０】
同様に、以上のように第３入光面２３及び第４入光面２４によって第３光源３３からの光Ｒａｙ３及び第４光源３４からの光Ｒａｙ４が制御される結果、インナーレンズ２０の前面２０ａから出光する第３光源３３からの光Ｒａｙ３及び第４光源３４からの光Ｒａｙ４は、上面視でクロスする。
【０１４１】
このようにクロスさせることにより、例えば、図１１に示すように、フォグランプユニット１０の前方にエクステンション８０等の構造物が配置されている場合であっても、インナーレンズ２０の前面２０ａから出光する第１光源３１からの光Ｒａｙ１及び第２光源３２からの光Ｒａｙ２、並びに、第３光源３３からの光Ｒａｙ３及び第４光源３４からの光Ｒａｙ４が上記構造物で遮られるのを抑制することができる。
【０１４２】
また、第１入光面２１及び第２入光面２２によって第１光源３１からの光Ｒａｙ１及び第２光源３２からの光Ｒａｙ２が制御される結果、第１光源３１によって、鉛直線Ｖ近傍の高光度照射領域を形成する配光パターンＰ１ａを構成するとともに、第２光源３２によって、配光パターンＰ１において、鉛直線Ｖから離れた領域まで左右に広い照射領域を形成する配光パターンＰ１ｂを構成することで、配光パターンＰ１を構成することができる。
【０１４３】
同様に、第３入光面２３及び第４入光面２４によって第３光源３３からの光Ｒａｙ３及び第４光源３４からの光Ｒａｙ４が制御される結果、第３光源３３によって、鉛直線Ｖ近傍の高光度照射領域を形成する配光パターンＰ２ａを構成するとともに、第４光源３４によって、配光パターンＰ２において、鉛直線Ｖから離れた領域まで左右に広い照射領域を形成する配光パターンＰ２ｂを構成することで、配光パターンＰ２を構成することができる。
【０１４４】
上記構成のフォグランプユニット１０においては、ユーザが車室に設けられた切り替えスイッチ（図示せず）を操作し、第１光源３１及び第２光源３２を同時点灯させる（第３光源３３及び第４光源３４を消灯させる）ことで、白色の第１フォグランプ用配光パターンＰ１が形成される。
【０１４５】
第１光源３１が点灯すると、第１光源３１からの光Ｒａｙ１は、シェード４０の貫通穴Ｈ１を通過し、第１入光面２１からインナーレンズ２０に入光し、上シリンドリカル面２０ａ１から出光して前方に照射される。
【０１４６】
その際、図９に示すように、上シリンドリカル面２０ａ１から出光する第１光源３１からの光Ｒａｙ１は、第１入光面２１の作用により、第１入光面２１から左右方向に隣接する第４入光面２４側に拡散される。具体的には、基準軸ＡＸ１に対して左角度θ１Ｌ範囲に拡散し、かつ、右角度θ１Ｒ範囲に拡散される。
【０１４７】
また、図８に示すように、上シリンドリカル面２０ａ１から出光する第１光源３１からの光Ｒａｙ１は、第１入光面２１及び上シリンドリカル面２０ａ１の作用により、鉛直方向に集光されて水平面に対して所定角度下向きの方向に照射される。
【０１４８】
別言すると、第１光源３１の光源像が、インナーレンズ２０（レンズ部分２０１）によって前方に反転投影される。
【０１４９】
これにより、図４（ｂ）に示す白色の第１部分配光パターンＰ１ａが形成される。第１部分配光パターンＰ１ａは、上端縁に第１光源３１の下端縁によって規定されるカットオフラインＣＬ１ａを含む。
【０１５０】
第２光源３２が点灯すると、第２光源３２からの光Ｒａｙ２は、シェード４０の貫通穴Ｈ２を通過し、第２入光面２２からインナーレンズ２０に入光し、下シリンドリカル面２０ａ２から出光して前方に照射される。
【０１５１】
その際、図１０に示すように、下シリンドリカル面２０ａ２から出光する第２光源３２からの光Ｒａｙ２は、第２入光面２２の作用により、第２入光面２２から左右方向に隣接する第３入光面２３側に拡散される。具体的には、基準軸ＡＸ２に対して左角度θ２Ｌ範囲に拡散し、右角度θ２Ｒ範囲に拡散される。
【０１５２】
また、図８に示すように、下シリンドリカル面２０ａ２から出光する第２光源３２からの光Ｒａｙ２は、第２入光面２２及び下シリンドリカル面２０ａ２の作用により、鉛直方向に集光されて水平面に対して所定角度下向きの方向に照射される。
【０１５３】
別言すると、第２光源３２の光源像が、インナーレンズ２０（レンズ部分２０２）によって前方に反転投影される。
【０１５４】
これにより、図４（ｃ）に示す白色の第２部分配光パターンＰ１ｂが形成される。第２部分配光パターンＰ１ｂは、上端縁に第２光源３２の下端縁によって規定されるカットオフラインＣＬ１ｂを含む。
【０１５５】
以上のように形成される第１部分配光パターンＰ１ａと第２部分配光パターンＰ１ｂとが重畳されることで、図４（ａ）に示すように、所定領域に白色の第１フォグランプ用配光パターンＰ１が形成される。
【０１５６】
第１フォグランプ用配光パターンＰ１は、中心光度が相対的に高く、左右方向にワイドな、フォグランプに適したものとなる。
【０１５７】
これは、第２部分配光パターンＰ１ｂと比べ、左右方向の寸法が短く、光度が高く（図６（ｂ）参照）、かつ、鉛直線Ｖから近くに形成される第１部分配光パターンＰ１ａと、第１部分配光パターンＰ１ａと比べ、左右方向の寸法が長く、光度が低く（図６（ｃ）参照）、かつ、鉛直線Ｖから遠くに形成される第２部分配光パターンＰ１ｂとが重畳されることで、第１フォグランプ用配光パターンＰ１が形成されることによるものである。
【０１５８】
上記構成のフォグランプユニット１０においては、ユーザが車室に設けられた切り替えスイッチ（図示せず）を操作し、第３光源３３及び第４光源３４を同時点灯させる（第１光源３１及び第２光源３２を消灯させる）ことで、黄色の第２フォグランプ用配光パターンＰ２が形成される。
【０１５９】
第３光源３３が点灯すると、第３光源３３からの光Ｒａｙ３は、シェード４０（シェード部分４０ａ）によって一部遮光されて貫通穴Ｈ３を通過し、第３入光面２３からインナーレンズ２０に入光し、下シリンドリカル面２０ａ２から出光して前方に照射される。
【０１６０】
その際、図９に示すように、下シリンドリカル面２０ａ２から出光する第３光源３３からの光Ｒａｙ３は、第３入光面２３の作用により、第３入光面２３が左右方向に隣接する第２入光面２２側に拡散される。具体的には、基準軸ＡＸ３に対して左角度θ１Ｌ範囲に拡散し、かつ、右角度θ１Ｒ範囲に拡散される。
【０１６１】
また、図８に示すように、下シリンドリカル面２０ａ２から出光する第３光源３３からの光Ｒａｙ３は、第３入光面２３及び下シリンドリカル面２０ａ２の作用により、鉛直方向に集光されて水平面に対して所定角度下向きの方向に照射される。
【０１６２】
別言すると、下端縁に沿った領域がシェード部分４０ａで覆われた第３光源３３の光源像が、インナーレンズ２０（レンズ部分２０３）によって前方に反転投影される。
【０１６３】
これにより、図５（ｂ）に示す黄色の第３部分配光パターンＰ２ａが形成される。第３部分配光パターンＰ２ａは、上端縁に第３光源３３の下端縁によって規定されるカットオフラインＣＬ２ａを含む。
【０１６４】
第４光源３４が点灯すると、第４光源３４からの光Ｒａｙ４は、シェード４０（シェード部分４０ｂ）によって一部遮光されて貫通穴Ｈ４を通過し、第４入光面２４からインナーレンズ２０に入光し、上シリンドリカル面２０ａ１から出光して前方に照射される。
【０１６５】
その際、図１０に示すように、上シリンドリカル面２０ａ１から出光する第４光源３４からの光Ｒａｙ４は、第４入光面２４の作用により、第４入光面２４から左右方向に隣接する第１入光面２１側に拡散される。具体的には、基準軸ＡＸ４に対して左角度θ２Ｌ範囲に拡散し、右角度θ２Ｒ範囲に拡散される。
【０１６６】
また、図８に示すように、上シリンドリカル面２０ａ１から出光する第４光源３４からの光Ｒａｙ４は、第４入光面２４及び上シリンドリカル面２０ａ１の作用により、鉛直方向に集光されて水平面に対して所定角度下向きの方向に照射される。
【０１６７】
別言すると、下端縁に沿った領域がシェード部分４０ｂで覆われた第４光源３４の光源像が、インナーレンズ２０（レンズ部分２０４）によって前方に反転投影される。
【０１６８】
これにより、図５（ｃ）に示す黄色の第４部分配光パターンＰ２ｂが形成される。第４部分配光パターンＰ２ｂは、上端縁に第４光源３４の下端縁によって規定されるカットオフラインＣＬ２ｂを含む。
【０１６９】
以上のように形成される第３部分配光パターンＰ２ａと第４部分配光パターンＰ２ｂとが重畳されることで、図５（ａ）に示すように、黄色の第２フォグランプ用配光パターンＰ２が形成される。
【０１７０】
第２フォグランプ用配光パターンＰ２は、中心光度が相対的に高く、左右方向にワイドな、フォグランプに適したものとなる。
【０１７１】
これは、第４部分配光パターンＰ２ｂと比べ、左右方向の寸法が短く、光度が高く（図６（ｂ）参照）、かつ、鉛直線Ｖから近くに形成される第３部分配光パターンＰ２ａと、第３部分配光パターンＰ２ａと比べ、左右方向の寸法が長く、光度が低く（図６（ｃ）参照）、かつ、鉛直線Ｖから遠くに形成される第４部分配光パターンＰ２ｂとが重畳されることで、第２フォグランプ用配光パターンＰ２が形成されることによるものである。
【０１７２】
以上説明したように、本実施形態によれば、色違いのフォグランプ用配光パターン、すなわち、白色の第１フォグランプ用配光パターンＰ１、黄色の第２フォグランプ用配光パターンＰ２を同一の領域に形成することができ、小型化が可能で、かつ、単眼の見栄えのフォグランプユニット１０を提供することができる。
【０１７３】
色違いのフォグランプ用配光パターンを同一の領域に形成することができるのは、発光色が白色の第１光源３１及び第２光源３２、発光色が黄色の第３光源３３及び第４光源３４、並びに、第１〜第４光源３１〜３４からの光それぞれを制御する第１〜第４入光面２１〜２４を備えることによるものである。
【０１７４】
小型化が可能なのは、発光色ごとにフォグランプユニットを構成するのではなく、１つのフォグランプユニット１０が、１つのインナーレンズ２０、発光色が白色の第１光源３１及び第２光源３２、並びに、発光色が黄色の第３光源３３及び第４光源３４を備えることによるものである。そのため、例えば、直径６０ｍｍ以下のインナーレンズ２０を用いた小型のフォグランプユニット１０を実現することができる。
【０１７５】
単眼の見栄えとなるのは、第１〜第４光源３１〜３４からの光それぞれを制御する第１〜第４入光面２１〜２４をインナーレンズ２０の前面２０ａではなく後面２０ｂに設けたことによるものである。
【０１７６】
また、本実施形態によれば、第１光源３１及び第２光源３２の同時点灯時（第３光源３３及び第４光源３４は消灯）においても、第３光源３３及び第４光源３４の同時点灯時（第１光源３１及び第２光源３２は消灯）においても、インナーレンズ２０全体が発光するため、単眼の見栄えを実現できる。
【０１７７】
第１光源３１及び第２光源３２の同時点灯時（又は第３光源３３及び第４光源３４の同時点灯時）にインナーレンズ２０全体が発光するのは、発光色が白色の第１光源３１及び第２光源３２が矩形の一方の対角位置にそれぞれ配置され、かつ、発光色が黄色の第３光源３３及び第４光源３４が矩形の他方の対角位置にそれぞれ配置されていることによるものである。
【０１７８】
また、本実施形態によれば、フォグランプユニット１０の前方にエクステンション８０等の構造物が配置されている場合であっても、インナーレンズ２０の前面２０ａから出光する第１光源３１からの光Ｒａｙ１及び第２光源３２からの光Ｒａｙ２、並びに、第３光源３３からの光Ｒａｙ３及び第４光源３４からの光Ｒａｙ４が上記構造物で遮られるのを抑制することができる。
【０１７９】
これは、第１光源３１及び第２光源３２の同時点灯時、インナーレンズ２０の前面２０ａから出光する第１光源３１からの光Ｒａｙ１及び第２光源３２からの光Ｒａｙ２が、上面視でクロスすることによるものである。同様に、第３光源３３及び第４光源３４の同時点灯時、インナーレンズ２０の前面２０ａから出光する第３光源３３からの光Ｒａｙ３及び第４光源３４からの光Ｒａｙ４が、上面視でクロスすることによるものである。
【０１８０】
また、本実施形態によれば、中心光度が相対的に高く、左右方向にワイドな、フォグランプに適した白色の第１フォグランプ用配光パターンＰ１を形成することができる。
【０１８１】
これは、第２部分配光パターンＰ１ｂと比べ、左右方向の寸法が短く、光度が高く、かつ、鉛直線Ｖから近くに形成される第１部分配光パターンＰ１ａと、第１部分配光パターンＰ１ａと比べ、左右方向の寸法が長く、光度が低く、かつ、鉛直線Ｖから遠くに形成される第２部分配光パターンＰ１ｂとが重畳されることで、第１フォグランプ用配光パターンＰ１が形成されることによるものである。
【０１８２】
同様に、中心光度が相対的に高く、左右方向にワイドな、フォグランプに適した黄色の第２フォグランプ用配光パターンＰ２を形成することができる。
【０１８３】
これは、第４部分配光パターンＰ２ｂと比べ、左右方向の寸法が短く、光度が高く、かつ、鉛直線Ｖから近くに形成される第３部分配光パターンＰ２ａと、第３部分配光パターンＰ２ａと比べ、左右方向の寸法が長く、光度が低く、かつ、鉛直線から遠くに形成される第４部分配光パターンＰ２ｂとが重畳されることで、第２フォグランプ用配光パターンＰ２が形成されることによるものである。
【０１８４】
また、本実施形態によれば、インナーレンズ２０の小型化、ひいては、フォグランプユニット１０の小型化が可能となる。
【０１８５】
これは、インナーレンズ２０の前面２０ａのうち第１光源３１からの光Ｒａｙ１が出光する領域と第４光源３４からの光Ｒａｙ４が出光する領域の少なくとも一部がオーバーラップし、かつ、インナーレンズ２０の前面２０ａのうち第２光源３２からの光Ｒａｙ２が出光する領域と第３光源３３からの光Ｒａｙ３が出光する領域の少なくとも一部がオーバーラップしていることによるものである。
【０１８６】
したがって、インナーレンズ２０の前面２０ａのうち第１光源３１からの光Ｒａｙ１が出光する領域と第４光源３４からの光Ｒａｙ４が出光する領域がオーバーラップせず、かつ、インナーレンズ２０の前面２０ａのうち第２光源３２からの光Ｒａｙ２が出光する領域と第３光源３３からの光Ｒａｙ３が出光する領域がオーバーラップしていない場合と比べ、インナーレンズ２０の小型化、ひいては、フォグランプユニット１０の小型化が可能となる。
【０１８７】
また、本実施形態によれば、第１〜第４入光面２１〜２４の面形状は、第１〜第４光源３１〜３４からの光Ｒａｙ１〜Ｒａｙ４の入射角が比較的小さくなる形状、つまり、フレネルロスが少なく第１〜第４光源３１〜３４からの光Ｒａｙ１〜Ｒａｙ４がインナーレンズ２０に入光しやすい形状となる。
【０１８８】
これは、第１〜第４光源３１〜３４からの光に対する鉛直方向の集光を、第１〜第４入光面２１〜２４だけでなくシリンドリカル面２０ａ１、２０ａ２も担当することによるものである。
【０１８９】
また、インナーレンズ２０の前面２０ａをシリンドリカル面２０ａ１、２０ａ２とすることで、すなわち、インナーレンズ２０の前面２０ａの水平断面形状を直線とすることで、第１〜第４入光面２１〜２４を以上のように構成（設計）するのが容易になるという利点もある。インナーレンズ２０の前面２０ａを平面として構成した場合も同様である。
【０１９０】
次に、変形例について説明する。
【０１９１】
上記実施形態では、発光色が白色の光源として第１光源３１及び第２光源３２の２つを用い、発光色が黄色の光源として第３光源３３及び第４光源３４の２つを用いた例について説明したが、これに限定されない。
【０１９２】
図１２は、各光源の配置の変形例である。
【０１９３】
例えば、図１２（ａ）に示すように、発光色が白色の光源として１つの光源（例えば、第１光源３１）を用い、発光色が黄色の光源として１つの光源（例えば、第３光源３３）を用いてもよい。この場合、図示しないが、発光色が白色の１つの光源、発光色が黄色の１つの光源がそれぞれ対向する２つの入光面が設けられる。そして、一方の入光面の面形状は、当該入光面からインナーレンズ２０に入光し、上シリンドリカル面２０ａ１から出光して前方に照射される第１光源３１からの光が、所定領域に白色の第１フォグランプ用配光パターンＰ１を形成するように構成される。同様に、他方の入光面の面形状は、当該入光面からインナーレンズ２０に入光し、下シリンドリカル面２０ａ２から出光して前方に照射される第３光源３３からの光が、所定領域に黄色の第２フォグランプ用配光パターンＰ２を形成するように構成される。
【０１９４】
また、図示しないが、発光色が白色の光源としてＮ１個（Ｎ１は２以上の整数）の光源を用い、発光色が黄色の光源としてＮ２個（Ｎ１は２以上の整数）の光源を用いてもよい。この場合、図示しないが、発光色が白色のＮ１個の光源、発光色が黄色のＮ２個の光源がそれぞれ対向するＮ１個の入光面、Ｎ２個の入光面が設けられる。
【０１９５】
例えば、図１２（ｂ）〜図１２（ｄ）に示すように、発光色が白色の光源として３つの光源（例えば、各光源３１、３２、３５）を用い、発光色が黄色の光源として３つの光源（例えば、各光源３３、３４、３６）を用いてもよい。この場合、図示しないが、発光色が白色の３つの光源、発光色が黄色の３つの光源がそれぞれ対向する６つの入光面が設けられる。
【０１９６】
また、上記実施形態では、インナーレンズ２０の前面２０ａが上シリンドリカル面２０ａ１と下シリンドリカル面２０ａ２とを含む例について説明したが、これに限らない。例えば、インナーレンズ２０の前面２０ａは、平面（例えば、基準軸ＡＸ１等に直交する平面）であってもよいし、曲面（例えば、前方に向かって凸のレンズ面）であってもよい。
【０１９７】
また、インナーレンズ２０の前面２０ａは、図１２（ｃ）に示すように、２つのシリンドリカル面に限らず、例えば、３つのシリンドリカル面２０ａ１、２０ａ２、２０ａ３を含んでいてもよい。
【０１９８】
また、インナーレンズ２０の前面２０ａは、図１２（ｄ）に示すように、前面２０ａを中心に放射状に分割されていてもよい。
【０１９９】
また、上記実施形態では、第１光源３１及び第２光源３２を矩形Ｂの一方の対角位置にそれぞれ配置し、第３光源３３及び第４光源３４を矩形Ｂの他方の対角位置にそれぞれ配置する例について説明したが、これに限らない。
【０２００】
例えば、図１２に示すように、色違いの光源を六角形等の多角形の頂点位置に交互に配置してもよい。
【０２０１】
上記各実施形態で示した各数値は全て例示であり、これと異なる適宜の数値を用いることができるのは無論である。
【０２０２】
上記各実施形態はあらゆる点で単なる例示にすぎない。上記各実施形態の記載によって本発明は限定的に解釈されるものではない。本発明はその精神または主要な特徴から逸脱することなく他の様々な形で実施することができる。
【符号の説明】
【０２０３】
１０…フォグランプユニット、２０…インナーレンズ、２０ａ…前面、２０ａ１…上シリンドリカル面、２０ａ２…下シリンドリカル面、２０ｂ…後面、２１…第１入光面、２２…第２入光面、２３…第３入光面、２４…第４入光面、３０…光源、３１…第１光源、３２…第２光源、３３…第３光源、３４…第４光源、４０…シェード、４０ａ、４０ｂ…シェード部分、５０…アウターレンズ、６０…ハウジング、７０…灯室、８０…エクステンション、９０…保持部材、２０１〜２０４…レンズ部分
【図１】
2019212469.tif 000003
【図２】
2019212469.tif 000004
【図３】
2019212469.tif 000005
【図４】
2019212469.tif 000006
【図５】
2019212469.tif 000007
【図６】
2019212469.tif 000008
【図７】
2019212469.tif 000009
【図８】
2019212469.tif 000010
【図９】
2019212469.tif 000011
【図１０】
2019212469.tif 000012
【図１１】
2019212469.tif 000013
【図１２】
2019212469.tif 000014